(57)【要約】【課題】                扁平状のマイクロ波加熱用包装袋を寝かせた状態で加熱することができると共に、包装袋の内容物が蒸気と一緒に包装箱体周囲に飛散するのを防止することができるマイクロ波加熱用包装袋を収容した包装箱体及びその包装用箱体を提供するものである。【解決手段】            蒸気圧で開口する逃圧部Ｔを備えたマイクロ波加熱用包装袋Ｗを内部に収容した箱体１に、箱体の正面部１１及び両側面部１３に連続して切り開き開口１０用の切込線２０を設けてなるマイクロ波加熱用箱体１において、該切込線２０の両端部Ｏを両側面部１３に連続して背面部１４との境界に到達する位置にまで設けてなるマイクロ波加熱用包装袋を収容した包装箱体。【選択図】                図３
0003124911.tif 000002
【実用新案登録請求の範囲】
【請求項１】
蒸気圧で開口する逃圧部を備えたマイクロ波加熱用包装袋を内部に収容した箱体に、箱体の正面部及び両側面部に連続して切り開き開口用の切込線を設けてなるマイクロ波加熱用箱体において、該切込線の両端部を両側面部に連続して背面部との境界に到達する位置にまで設けてなるマイクロ波加熱用包装袋を収容した包装箱体。
【請求項２】
請求項１に記載の包装箱体において、前記切込線の両端部を前記境界を越えて背面部に至るまで設けてなるマイクロ波加熱用包装袋を収容した包装箱体。
【請求項３】
請求項１又は２に記載の包装箱体において、前記背面部に前記切込線の両端部を結ぶ線に沿って折曲線を設けてなるマイクロ波加熱用包装袋を収容した包装箱体。
【請求項４】
請求項１、２又は３に記載の包装箱体において、前記切込線の両端部を結ぶ線に沿って前記背面部の一部に切込を設けてなるマイクロ波加熱用包装袋を収容した包装箱体。
【請求項５】
請求項１乃至４のいずれかに記載の包装箱体において、前記側面部の切込線を、前記正面部から背面部に向かって傾斜して設けてなるマイクロ波加熱用包装袋を収容した包装箱体。
【請求項６】
請求項１乃至５のいずれかに記載の包装箱体において、包装箱体の正面部に切り開き開口用切込線により逃圧部に対面して開口蓋部を形成してなるマイクロ波加熱用包装袋を収容した包装箱体。
【請求項７】
請求項６に記載の包装箱体において、前記開口蓋部に把持片部を形成したマイクロ波加熱用包装袋を収容した包装箱体。
【請求項８】
請求項１乃至７のいずれかに記載の包装箱体において、マイクロ波加熱用包装袋と共にライス容器を内部に収容したマイクロ波加熱用包装袋を収容した包装箱体。
【請求項９】
請求項８に記載の包装箱体において、切り開き開口からライス容器を取り出し可能に収容してなるマイクロ波加熱用包装袋を収容した包装箱体。
【請求項１０】
請求項１乃至９のいずれかに記載の包装箱体において、正面部を平板状に設けると共に、背面部に側面部の一端部に沿って円弧状に湾曲した湾曲部を設けてなるマイクロ波加熱用包装袋を収容した包装箱体。
【請求項１１】
請求項１０に記載の包装箱体において、正面部を平板状に設けると共に、湾曲部に収容蓋部を設けてなるマイクロ波加熱用包装袋を収容した包装箱体。
【請求項１２】
請求項１０又は１１に記載の包装箱体において、湾曲部を切り開き開口用切込線の両端部よりも箱体の一端部側に位置して設けてなるマイクロ波加熱用包装袋を収容した包装箱体。
【請求項１３】
請求項１乃至１２のいずれかに記載の包装用箱体において、箱体の側面部に覗き窓を設けてなるマイクロ波加熱用包装袋を収容した包装箱体。
【請求項１４】
蒸気圧で開口する逃圧部を備えたマイクロ波加熱用包装袋を内部に収容するための箱体に、箱体の正面部及び両側面部に連続して切り開き開口用の切込線を設けてなるマイクロ波加熱用箱体において、該切込線の両端部を両側面部に連続して背面部との境界に到達する位置にまで設けてなるマイクロ波加熱用包装袋を収容するための包装用箱体。
【請求項１５】
請求項１４に記載の包装用箱体において、前記切込線の両端部を前記境界を越えて背面部に至るまで設けてなるマイクロ波加熱用包装袋を収容するための包装用箱体。
【請求項１６】
請求項１４又は１５に記載の包装用箱体において、前記背面部に前記切込線の両端部を結ぶ線に沿って折曲線を設けてなるマイクロ波加熱用包装袋を収容するための包装用箱体。
【請求項１７】
請求項１４、１５又は１６に記載の包装用箱体において、前記切込線の両端部を結ぶ線に沿って前記背面部の一部に切込を設けてなるマイクロ波加熱用包装袋を収容するための包装用箱体。
【請求項１８】
請求項１４乃至１７のいずれかに記載の包装用箱体において、前記側面部の切込線を、前記正面部から背面部に向かって傾斜して設けてなるマイクロ波加熱用包装袋を収容するための包装用箱体。
【請求項１９】
請求項１４乃至１８のいずれかに記載の包装用箱体において、包装用箱体の正面部に切り開き開口用切込線により逃圧部に対面して開口蓋部を形成してなるマイクロ波加熱用包装袋を収容するための包装用箱体。
【請求項２０】
請求項１９に記載の包装用箱体において、前記開口蓋部に把持片部を形成したマイクロ波加熱用包装袋を収容するための包装用箱体。
【請求項２１】
請求項１４乃至２０のいずれかに記載の包装用箱体において、マイクロ波加熱用包装袋と共にライス容器を内部に収容可能なマイクロ波加熱用包装袋を収容するための包装用箱体。
【請求項２２】
請求項２１に記載の包装用箱体において、切り開き開口からライス容器を取り出し可能に設けてなるマイクロ波加熱用包装袋を収容するための包装用箱体。
【請求項２３】
請求項１４乃至２２のいずれかに記載の包装用箱体において、正面部を平板状に設けると共に、背面部に側面部の一端部に沿って円弧状に湾曲した湾曲部を設けてなるマイクロ波加熱用包装袋を収容するための包装用箱体。
【請求項２４】
請求項２３に記載の包装用箱体において、正面部を平板状に設けると共に、湾曲部に収容蓋部を設けてなるマイクロ波加熱用包装袋を収容するための包装用箱体。
【請求項２５】
請求項２３又は２４に記載の包装用箱体において、湾曲部を切り開き開口用切込線の両端部よりも箱体の一端部側に位置して設けてなるマイクロ波加熱用包装袋を収容するための包装用箱体。
【請求項２６】
請求項１４乃至２５のいずれかに記載の包装用箱体において、包装用箱体の側面部に覗き窓を設けてなるマイクロ波加熱用包装袋を収容するための包装用箱体。
【考案の詳細な説明】
【技術分野】
【０００１】
本考案は、マイクロ波加熱用包装袋を収容した包装箱体及びその包装用箱体に関する。
【背景技術】
【０００２】
近年、密封状態の包装袋に食品等の内容物を収容し、この包装袋に蒸気圧で開口する逃圧部を設けて包装袋を開口することなくマイクロ波で加熱することができるようにしたマイクロ波加熱用包装袋が使用されている。
また、このマイクロ波加熱用包装袋を包装箱体に収容した状態で、前記逃圧部から放出される蒸気を逃がすために包装箱体の一部を開口してマイクロ波で加熱するようにした包装箱体も使用されている。
【０００３】
従来、この包装箱体は、包装袋の内容物が漏れ出さないように逃圧部を上にして立てた状態で加熱することができるように構成されたものが多く使用されている。しかし、マイクロ波加熱用包装袋は扁平状のものが多く、包装箱体も薄型のものが多いことから、この包装箱体を立てた状態に保つために、包装箱体の構造が複雑になっていた。
この包装箱体の構造を簡素化したものとして、包装箱体の正面部の上面部寄り部分を立て起こし、内部の密封包装食品を偏平状に寝かせた姿勢のままでマイクロ波に入れて加熱することができる包装箱体が、下記特許文献１に開示されている。
【０００４】
【特許文献１】特許第３４６３２９６号公報
【考案の開示】
【考案が解決しようとする課題】
【０００５】
特許文献１に記載の包装箱体は、正面部破断用ライン、それに連なる両側面部破断用ライン、さらにそれに連なる一対の背面部破断用ラインを破断することで、該正面部の上面部寄りの部分をほぼ９０度の角度に立て起こし、上面部を背面部と同じ平面上に位置させて開くようにしてあり、加熱時に包装箱体の正面部の上面部寄り部分が大きく開口する。このため、密封包装食品をマイクロ波加熱装置に入れて加熱したときに、扁平状に寝かせた包装袋の蒸気逃がし部から蒸気と一緒に食品の一部が漏れ出す場合も考えられ、この漏れ出した食品が包装箱体の上記開口した部分から飛散してマイクロ波加熱装置の内面を汚す恐れがあるという課題があった。
【０００６】
そこで、本考案は、扁平状のマイクロ波加熱用包装袋を寝かせた状態で加熱することができると共に、包装袋の内容物が蒸気と一緒に包装箱体周囲に飛散するのを防止することができるマイクロ波加熱用包装袋を収容した包装箱体及びその包装用箱体を提供するものである。
【課題を解決するための手段】
【０００７】
本考案は、上記課題を解決するために、蒸気圧で開口する逃圧部を備えたマイクロ波加熱用包装袋を内部に収容した箱体に、箱体の正面部及び両側面部に連続して切り開き開口用の切込線を設けてなるマイクロ波加熱用箱体において、該切込線の両端部を両側面部に連続して背面部との境界に到達する位置にまで設けてなるマイクロ波加熱用包装袋を収容した包装箱体を提供するものである。
【０００８】
また、本考案は、上記の包装箱体において、前記切込線の両端部を前記境界を越えて背面部に至るまで設けてなるマイクロ波加熱用包装袋を収容した包装箱体及びその包装用箱体を提供するものである。
【０００９】
また、本考案は、上記の包装箱体において、前記背面部に前記切込線の両端部を結ぶ線に沿って折曲線を設けてなるマイクロ波加熱用包装袋を収容した包装箱体及びその包装用箱体を提供するものである。
【００１０】
また、本考案は、上記の包装箱体において、前記切込線の両端部を結ぶ線に沿って前記背面部の一部に切込を設けてなるマイクロ波加熱用包装袋を収容した包装箱体及びその包装用箱体を提供するものである。
【００１１】
また、本考案は、上記の包装箱体において、前記側面部の切込線を、前記正面部から背面部に向かって傾斜して設けてなるマイクロ波加熱用包装袋を収容した包装箱体及びその包装用箱体を提供するものである。
【００１２】
また、本考案は、上記の包装箱体において、包装箱体の正面部に切り開き開口用切込線により逃圧部に対面して開口蓋部を形成してなるマイクロ波加熱用包装袋を収容した包装箱体及びその包装用箱体を提供するものである。
【００１３】
また、本考案は、上記の包装箱体において、前記開口蓋部に把持片部を形成したマイクロ波加熱用包装袋を収容した包装箱体及びその包装用箱体を提供するものである。
【００１４】
また、本考案は、上記の包装箱体において、マイクロ波加熱用包装袋と共にライス容器を内部に収容したマイクロ波加熱用包装袋を収容した包装箱体及びその包装用箱体を提供するものである。
【００１５】
また、本考案は、上記の包装箱体において、切り開き開口からライス容器を取り出し可能に収容してなるマイクロ波加熱用包装袋を収容した包装箱体及びその包装用箱体を提供するものである。
【００１６】
また、本考案は、上記の包装箱体において、正面部を平板状に設けると共に、背面部に側面部の一端部に沿って円弧状に湾曲した湾曲部を設けてなるマイクロ波加熱用包装袋を収容した包装箱体及びその包装用箱体を提供するものである。
【００１７】
また、本考案は、上記の装箱体において、正面部を平板状に設けると共に、湾曲部に収容蓋部を設けてなるマイクロ波加熱用包装袋を収容した包装箱体及びその包装用箱体を提供するものである。
【００１８】
また、本考案は、上記の包装箱体において、湾曲部を切り開き開口用切込線の両端部よりも箱体の一端部側に位置して設けてなるマイクロ波加熱用包装袋を収容した包装箱体及びその包装用箱体を提供するものである。
【００１９】
また、本考案は、上記の包装用箱体において、箱体の側面部に覗き窓を設けてなるマイクロ波加熱用包装袋を収容した包装箱体及びその包装用箱体を提供するものである。
【考案の効果】
【００２０】
本考案に係る包装箱体及びその包装用箱体によれば、蒸気圧で開口する逃圧部を備えたマイクロ波加熱用包装袋を内部に収容した箱体に、箱体の正面部及び両側面部に連続して切り開き開口用の切込線を設けてなるマイクロ波加熱用箱体において、該切込線の両端部を両側面部に連続して背面部との境界に到達する位置にまで設けてなる構成を有することにより、マイクロ波加熱用包装袋を収容した包装箱体の正面部とその両側の側面部の切り開き開口用切込線を背面部の境界まで切り開いて、扁平状のマイクロ波加熱用包装袋を寝かせた状態で箱ごとマイクロ波装置で加熱すると、包装袋が膨張して開口蓋部を押し上げたとしても、切込線により切り離された正面部とその両側に連続する側面部が、背面部を前記切込線の両端部を結ぶ線に沿って屈曲又は湾曲させて、包装袋を逃圧部が上を向いた高さのある状態で収容すると共に、逃圧部の上側を正面部が斜めに覆うこととなるから、容器の内容物が蒸気と一緒に包装箱体周囲に飛散するのを防止することができる効果がある。
【００２１】
また、本考案は、上記の包装箱体において、前記切込線の両端部を前記境界を越えて背面部に至るまで設けてなる構成を有することにより、背面部を切込線を境に確実に折り曲げることができる効果がある。
【００２２】
また、本考案は、上記の包装箱体において、前記背面部に前記切込線の両端部を結ぶ線に沿って折曲線を設けてなる構成を有することにより、背面部を折曲線を境に確実に折り曲げることができる効果がある。
【００２３】
また、本考案は、上記の包装箱体において、前記切込線の両端部を結ぶ線に沿って前記背面部の一部に切込を設けてなる構成を有することにより、背面部を切込を境に確実に折り曲げることができる効果がある。
【００２４】
また、本考案は、上記の包装箱体において、前記側面部の切込線を、前記正面部から背面部に向かって傾斜して設けてなる構成を有することにより、切込線に沿って正面部から側面部にかけて円滑に切り離しができると共に、開口部を大きくすることができる効果がある。
【００２５】
また、本考案は、上記の包装箱体において、包装箱体の正面部に切り開き開口用切込線により逃圧部に対面して開口蓋部を形成してなる構成を有することにより、逃圧部の上方を対面する開口蓋部で覆うことができるから、包装袋の内容物が蒸気と一緒に包装箱体の周囲に飛散するのを阻止することができる効果がある。
【００２６】
また、本考案は、上記の包装箱体において、前記開口蓋部に把持片部を形成した構成を有することにより、開口蓋部の切り開きを容易にする効果がある。
【００２７】
また、本考案は、上記の包装箱体において、マイクロ波加熱用包装袋と共にライス容器を内部に収容した構成を有することにより、切り開き開口部からライス容器のみを取り出した後、包装袋を内容物が蒸気と一緒に包装箱体の周囲に飛散する恐れのないライス容器の空間だけ大型の箱体内に収容した状態で、マイクロ波装置でそのまま包装袋を加熱することができる効果がある。
【００２８】
また、本考案は、上記の包装箱体において、切り開き開口からライス容器を取り出し可能に収容してなる構成を有することにより、切り開き開口からライス容器を取り出すことができる効果がある。
【００２９】
また、本考案は、上記の包装箱体において、正面部を平板状に設けると共に、背面部に側面部の一端部に沿って円弧状に湾曲した湾曲部を設けてなる構成を有することにより、正面部を切り開いて平板状の開口蓋部等を形成することができると共に、湾曲部を含めて背面部全体に円滑で連続的な商品表示面を形成することができる効果がある。
【００３０】
また、本考案は、上記の包装箱体において、正面部を平板状に設けると共に、湾曲部に収容蓋部を設けてなる構成を有することにより、背面部と一体な湾曲部で広い収容蓋部を形成することができるから、広い蓋部開口から内容物の収容作業を容易に行える効果がある。
【００３１】
また、本考案は、上記の包装箱体において、湾曲部を切り開き開口用切込線の両端部よりも箱体の一端部側に位置して設けてなる構成を有することにより、切り開き開口を大きくすることができる効果がある。
【００３２】
また、本考案は、上記の包装用箱体において、箱体の側面部に覗き窓を設けてなる構成を有することにより、内容物の状態を見ることができる効果がある。
【考案を実施するための最良の形態】
【００３３】
以下図示する実施例により本考案を詳細に説明する。
【実施例１】
【００３４】
図１乃至図５に記載の実施例１において、本考案は、蒸気圧で開口する逃圧部Ｔを備えたマイクロ波加熱用包装袋Wを収容した包装箱体１において、図示の実施例で太線で表した切り開き開口用切込線２０として、逃圧部Ｔに対面する包装箱体１の正面部１１に正面切込線２１を施して上広状の開口蓋部１２を形成する一方、該切込線２０を両側の側面部１３に側面切込線２２として連続して設け、該切込線２２の側面部１３と背面部１４との境界に両端部Ｏが至るように設けてなるマイクロ波加熱用包装袋Ｗを収容した包装箱体１を提供するものである。
【００３５】
本考案実施例１に係る蒸気圧で開口する逃圧部Ｔを備えたマイクロ波加熱用包装袋Ｗを収容した包装箱体１によれば、マイクロ波加熱用包装袋Ｗを収容した包装箱体１の、逃圧部Ｔに対面する正面部１１とその両側の側面部１３の切り開き開口用の切込線２０を背面部１４の境界Ｏまで切り開いて、扁平状のマイクロ波加熱用包装袋Ｗを寝かせた状態で箱体１ごとマイクロ波で加熱すると、図３に記載のように、包装袋Ｗが膨張して開口蓋部１２を押し上げると、切込線２０により切り離された正面部１４の開口蓋部１２とその両側に連続する側面部１６が、背面部１４を切込線２０の端部Ｏ−Ｏを境に湾曲又は屈曲することとなる。図４は背面部１４における切込線２０の端部Ｏの位置を示すものである。
【００３６】
このことにより、包装箱体１は、レンジ底板Ｒ上において背面部側上縁部Ｐと下縁部Ｑとを着地した形で湾曲又は屈曲し、包装袋Ｗを逃圧部Ｔが上を向いた状態に維持すると共に、逃圧部Ｔの上側を開口蓋部１２で斜めに覆うことができるから、包装袋Ｗの内容物が蒸気と一緒に噴出しても、傾斜した前記開口蓋部１２とその両側に連続する上側面部１６が、包装箱体１の上面部１７及び背面部１４の折曲面部１８と相まって、包装箱体１の上面部１７を越える方向に飛散するのを防止することができる。１９は包装箱体１の上面部１７に相対する下面部である。
【００３７】
また、本考案は、図２に記載のように、前記背面部１４に前記切込線２０の両端部Ｏを結ぶ線Ｏ−Ｏに沿って折曲線１５を設けることができ、背面部１４を折曲線１５を境に確実に折り曲げることができるように構成することができる。
また、折曲線１５は、図５に記載のように、切込線２０の両端部Ｏを結ぶ線Ｏ−Ｏに沿って一部に設けることができ、この場合、図５に記載の如く、切込線２０の両端部Ｏに連続して設けることにより、切込線２０に連続する折曲線１５に沿って容易に折り曲げることができる。
【００３８】
また、本考案は、前記背面部１４に設けた折曲線１５の一部又は全部に間欠的な切込による切込線２６を設けることができ、背面部１４の折曲線１５の折り曲げ強度を適宜に調整することができる。  また、加熱後に背面部１４の折曲面部１８を折曲線１５又は切込線２６で容易に折り曲げ又は切り離して、加熱した包装容器Ｗを包装箱体１内から簡単に取り出すことができるように構成することも可能である。
【００３９】
なお、折曲線１５は押圧による凹溝状の連続した折曲容易な形態として設けてあるのに対して、切込線２６はミシン目或いは切込の一部に切り離し容易な連結部を設けたもの、又は、背面部１４の一面側に板厚の途中まで切込みを入れた折り曲げ又は切り離し容易な形態で構成することができる。
【００４０】
また、本考案は、図示の実施例ように、前記側面部１３の切込線２２を、前記正面部１１から背面部１３に向かって傾斜して設けた構成にすることにより、正面切込線２１に沿って正面部１１から側面部１３にかけて側面切込線２２を円滑に切り離すことができると共に、開口蓋部１２の開口１０を大きくすることができる。
【００４１】
また、本考案は、図示の実施例のように、前記開口蓋部１２に、正面切込線２１にＶ字状、Ｕ字状又は円弧状等の湾曲部２３を設けることにより、切り開き開口用の把持片部２４を形成した構成にすることができ、開口蓋部１２を把持片部２４から容易に切り離すことができる。
なお、把持片部２４の凹又は凸の形状、凹凸形状の大きさ、位置は適宜に設定することができる。また、例えば、把持片部２４の内側に切込による切取用孔を設けて、切取用孔を押し込み等により切り離して、その孔を利用して開口蓋部１２を引き開ける構成にすることも可能である。
【００４２】
また、切り開き開口用切込線２０は、図示の実施例において、例えば、正面切込線２１の把持片部２４を形成する湾曲部２３は上からの押し込みによって切り離し易いように円弧状の線状に連続する切込からなり、その連続する正面切込線２１は把持片部２４を持って上に引き上げたときに連続して切り離し易いようにＹ字状の切込からなり、また、箱の角部では直線的に真っ直ぐな切込２５を施して円滑な切り離しを容易にしている。
【００４３】
また、側面部１３の切込線２２から背面部１４の折曲線１５に連続して切込線２６を設けることも可能である。
また、開口蓋部１２に、例えば、両側の切込２５を施した正面部１１と側面部１３の境界の角部を結ぶ線Ｃ−Ｃ又は該結ぶ線Ｃ−Ｃに平行する線に沿って前記折曲線１５と同様の折曲線を設け、開口蓋部１２をこの折込線を境に内側又は外側に折り込んで、蒸気の噴出する方向を変えるように構成することも可能である。
【実施例２】
【００４４】
図６乃至図１２に記載の実施例２において、先の実施例１と同一の機能を有する構成部分については、同一の符号を付して重複する部分についてはその説明を省略するが、本考案の実施例２に係る包装用箱体１は、図１２の展開図から組み立てられ、図１０に記載のように、ライス容器Ｋと、蒸気圧で開口する逃圧部Ｔを備えたマイクロ波加熱用包装袋Ｗとを内部に収容して使用され、図６の正面図及び図９の側面図の太い破線で描かれた切込線２０、２１、２２に沿って切り開き、図７の背面図の折り曲げ線１５で折り曲げて図１０のように開口蓋部１２を開口した後、ライス容器Ｋのみを取り出して、図１１に記載のように開口蓋部１２をほぼ閉じた状態で包装袋Ｗを箱体１ごと背面部１４を下にして電子レンジで加熱し、包装袋Ｗが膨らんで逃圧部Ｔから内容物が蒸気と一緒に噴出しても、開口蓋部１２で覆われている箱体１から周囲に飛散するのを阻止することができるようにしたものである。
【００４５】
従って、実施例２の包装箱体１においては、例えば、カレーを収容したマイクロ波加熱用包装袋Ｗと共にライス容器Ｋを内部に収容してカレーライスのセットとして販売することができ、切り開き開口部１０からライス容器Ｋのみを取り出した後、包装袋Ｗを内容物が蒸気と一緒に包装箱体の周囲に飛散する恐れのないライス容器Ｋの空間だけ大型の箱体１内に収容した状態で、マイクロ波装置でそのまま包装袋Ｗを加熱することができる。
【００４６】
また、上記実施例２の包装箱体１においては、マイクロ波加熱用包装袋Ｗと共にライス容器Ｋを重ねて内部に収容し、切り開き開口１０からライス容器を取り出した後、箱内に残った包装袋Ｗをそのままマイクロ波装置でそのまま包装袋Ｗを加熱することができる。
【００４７】
また、上記実施例２の包装箱体においては、正面部１１を平板状に設けると共に、背面部１４に側面部１３の一端部に沿って円弧状に湾曲した湾曲蓋部２７を設けて、正面部１１を切込線２０に沿って切り開いて平板状の開口蓋部１２を形成することができると共に、湾曲蓋部２７を含めて背面部１４の全体に円滑で連続的な商品表示面を形成することができる。
従って、本考案箱体１を正面部１１を裏側に、背面部１４を表面側にして商品棚に配列して展示し、優れた商品表示効果が得られる。
【００４８】
また、実施例２では、上記の如く、包装箱体１において、正面部１１を平板状に設けると共に、背面部１４に連続して湾曲蓋部２７を設けてなる構成を有することにより、背面部１４と一体な湾曲蓋部２７で広い収容蓋部開口を形成することができるから、広い蓋部開口から内容物の収容作業を容易に行える効果がある。
【００４９】
また、実施例２では、上記の包装箱体１において、湾曲蓋部２７を切り開き開口用切込線２２の両端部Ｏよりも箱体１の上端部側に位置して設けてなる構成を有することにより、切り開き開口１０を大きくとることができる。湾曲蓋部２７に切り開き開口用切込線２２の両端部Ｏを設けた場合には、切込線２０に沿って切り開いて平板状の開口蓋部１２が湾曲蓋部２７と共に大きく展開する形で開いてしまい、切り開き開口１０を閉じれなくなる恐れがある。
【００５０】
また、実施例２では、上記の包装箱体１において、箱体１の側面部１３に覗き窓２８を設けてなる構成を有することにより、内容物の状態を見ることができる。
覗き窓２８の形状は、図示の菱形状に限らず、円形状、楕円形状、長方形状、スリット状、渦巻き状、又はその組み合わせなどの自由な形状にすることができ、また、大きさにより１個でも良いが、２から１０個以上まで複数個又は多数個を設けても良い。
また、覗き窓２８は、打ち抜きの透孔でも良いが、透明な閉じた窓であっても良い。
【００５１】
なお、図１２の展開図において、左端の糊代２９は右端の側面部１３に貼着され、正面部１１の上端部の掛止片３０は、ライス容器Ｋ等を収容後に湾曲蓋部２７の切込掛止部３１に差し込んで、湾曲蓋部２７を強固に掛止めるものである。また、３２は湾曲蓋部２７の折り込み片部であり、３３，３４は湾曲蓋部２７の内側に折り込まれる蓋部開口の側面部１３の折り畳み片であり、３５，３６は下面部１９の底部折り畳み片である。
【図面の簡単な説明】
【００５２】
【図１】本考案包装箱体の一実施例を示す正面方向から見た斜視図。
【図２】その一実施例の背面方向から見た斜視図。
【図３】その一実施例の一使用状態を示す一部縦断側面図。
【図４】その実施例の背面図。
【図５】その他の実施例の背面図。
【図６】本考案包装箱体の他の一実施例を示す正面図。
【図７】その背面図。
【図８】その平面図。
【図９】その側面図。
【図１０】その実施例の一使用状態を示す斜視図。
【図１１】その実施例の他の使用状態を示す一部縦断側面図。
【図１２】その展開図。
【符号の説明】
【００５３】
１      包装箱体
１０    開口
１１    正面部
１２    開口蓋部
１３    側面部
１４    背面部
１５    折曲線
１６    上側面部
１７    上面部
１８    折曲面部
１９    下面部
２０    切り開き開口用切込線
２１    正面切込線
２２    側面切込線
２３    湾曲部
２４    把持片部
２５    切込
２６    切込線
２７    湾曲蓋部
２８    覗き窓
２９    糊代
３０    掛止片
３１    切込掛止片
３２    折り込み片部
３３、３４    折り畳み片
３５、３６    底部折り畳み片
【図１】
0003124911.tif 000003
【図２】
0003124911.tif 000004
【図３】
0003124911.tif 000005
【図４】
0003124911.tif 000006
【図５】
0003124911.tif 000007
【図６】
0003124911.tif 000008
【図７】
0003124911.tif 000009
【図８】
0003124911.tif 000010
【図９】
0003124911.tif 000011
【図１０】
0003124911.tif 000012
【図１１】
0003124911.tif 000013
【図１２】
0003124911.tif 000014